(57)【要約】【課題】外部入力でＴＶの電源をオフした後に、電源をオンにして外部入力に信号がない場合にもＴＶ画面に何も表示されないということがない放送受信装置を提供する。【解決手段】放送受信装置１０は、外部入力端子または放送を選局する選局手段２０と、選局手段により外部入力端子が選択されたとき、外部入力端子が選択される直前に選局されている放送のチャンネルデータを記憶する第１の記憶手段３０と、電源オフの直前に選局されているチャンネルデータを記憶する第２の記憶手段３１と、電源オン時に第２の記憶手段に記憶されているチャンネルデータを読み出し、読み出したチャンネルデータを選局し、その選局したチャンネルに信号があるか否かを検出する検出手段１９とを備え、選局手段は、検出手段により第２の記憶手段に記憶されているチャンネルデータに対応する信号が検出されない場合、第１の記憶手段の記憶に基づきチャンネルを選局する。【選択図】図１
2009038462.tif 000002
【特許請求の範囲】
【請求項１】
外部入力端子を備えた放送受信装置であって、
前記外部入力端子または放送を選局する選局手段と、
前記選局手段により前記外部入力端子が選択されたとき、前記外部入力端子が選択される直前に選局されている放送のチャンネルデータを記憶する第１の記憶手段と、
電源オフの直前に選局されているチャンネルデータを記憶する第２の記憶手段と、
電源オン時に前記第２の記憶手段に記憶されているチャンネルデータを読み出し、読み出したチャンネルデータに対応するチャンネルを選局し、その選局したチャンネルに信号があるか否かを検出する検出手段とを備え、
前記選局手段は、前記検出手段により前記第２の記憶手段に記憶されているチャンネルデータに対応するチャンネルの信号が検出されない場合、前記第１の記憶手段に記憶されたチャンネルデータに基づきチャンネルを選局することを特徴とする放送受信装置。
【請求項２】
外部入力端子を備えた放送受信装置の放送受信方法であって、
前記外部入力端子または放送を選局する選局ステップと、
前記選局ステップにより前記外部入力端子が選択されたとき、前記外部入力端子が選択される直前に選局されている放送のチャンネルデータを記憶する第１の記憶ステップと、
電源オフの直前に選局されているチャンネルデータを記憶する第２の記憶ステップと、
電源オン時に前記第２の記憶ステップに記憶されているチャンネルデータを読み出し、読み出したチャンネルデータに対応するチャンネルを選局し、その選局したチャンネルに信号があるか否かを検出する検出ステップとを備え、
前記選局ステップは、前記検出ステップにより前記第２の記憶ステップで記憶されているチャンネルデータに対応するチャンネルの信号が検出されない場合、前記第１の記憶ステップで記憶されたチャンネルデータに基づきチャンネルを選局することを特徴とする放送受信方法。
【発明の詳細な説明】
【技術分野】
【０００１】
本発明は、放送受信装置および放送受信方法に関し、特に、電源オン時に表示するチャンネルデータを記憶する記憶部を備えた放送受信装置および放送受信方法に関する。
【背景技術】
【０００２】
従来、放送受信装置には、チャンネルデータを記憶する記憶部を備え、電源オフ直前のチャンネルをラストチャンネルデータとして記憶部に記憶し、電源オン時には記憶部からラストチャンネルデータを読み出し、そのラストチャンネルデータに対応するチャンネルの放送を画面に表示する。すなわち、電源投入時に放送受信装置は通常ラストチャンネルデータに対応するチャンネルで立ち上がる。
【０００３】
図４は、電源オフ時から電源オン時までの従来の放送受信装置の制御部の動作を示すフローチャートである。
ステップＳ１０１で放送受信装置の電源（ＴＶ電源）がオフか否か判断する。ＴＶ電源がオフではない場合は、ステップＳ１０１を繰り返し実行する。もし、ＴＶ電源がオフになったならば、ステップＳ１０２を実行する。次に、ステップＳ１０２でラストチャンネルデータを記憶部に記憶する。ステップＳ１０３では、ＴＶ電源がオンか否か判断する。ＴＶ電源がオンではない場合は、ステップＳ１０３を繰り返し実行する。もし、ＴＶ電源がオンになったならば、ステップＳ１０４を実行する。次に、ステップＳ１０４で記憶部に記憶されたラストチャンネルデータを読み出し、そのラストチャンネルデータに対応するチャンネルの映像を画面に表示する。
【０００４】
しかしながら、ＢＳ（放送衛星）デジタル放送においては、１つのトランスポンダを複数の放送事業者が使用し、さらに、ＨＤ（デジタルハイビジョン）放送、ＳＤ（デジタル標準テレビ）放送およびデータ放送が混在し、これらの複数の放送が混在して送信される。
【０００５】
このＢＳデジタル放送では、ＨＤ放送がメインであるが、ある時間帯ではＳＤ放送も送出される。このうち、ＨＤ放送は、伝送すべき情報量が多いため、編成チャンネルでみるとＨＤ放送１チャンネル分でＳＤ放送の３チャンネル分を占める。したがって、ＨＤ放送とＳＤ放送とを切り換えるまだら放送では、種々の組み合わせでＨＤ放送とＳＤ放送とが交互に切り換えられる。
なお、以下の説明では編成チャンネルを単にチャンネルと記載する。
【０００６】
このため、ＳＤ放送を視聴している途中にＨＤ放送に切り換わり、または、試聴していたＳＤ放送のチャンネルが存在しなくなることもある。逆に、ＨＤ放送を試聴している途中にＳＤ放送に切り換わり、または、試聴していたＨＤ放送のチャンネルが存在しなくなることもある。
【０００７】
上記のように、ＳＤ放送（またはＨＤ放送）を試聴後、電源をオフしてその後再びオンした時、最後に試聴していたチャンネルのＳＤ放送（またはＨＤ放送）が存在しない場合、図４で示した従来の放送受信装置で行われていたような、ラストチャンネルデータに対応するチャンネルの表示を行っていたのでは、受信すべきチャンネルが存在しなくなり、表示画面に何も表示されず、視聴者が受信装置が故障したのではないか等と考え、視聴者を困惑させる結果となる。
【０００８】
そこで、特許文献１に開示される放送受信装置では、デジタル放送の中から選択された放送を選局する選局手段と、選局手段により現在選局されている放送のチャンネルデータを記憶する記憶手段と、電源オン時に記憶手段に記憶されているチャンネルデータに対応する放送がされているか否かを検出する検出手段とを備え、選局手段は、検出手段により記憶手段に記憶されているチャンネルデータに対応する放送がされていないことが検出された場合、同一放送事業者の他の放送を選局するようにしている。  
【特許文献１】特開２００１−１３６４４２号公報
【発明の開示】
【発明が解決しようとする課題】
【０００９】
特許文献１でのようにデジタル放送の場合に起こる問題点以外に、アナログ放送、デジタル放送共通に、電源オン時にラストチャンネルに信号が存在していれば、画面にその映像が表示されるが、ラストチャンネルに信号が存在しない場合は、画面には、何も映らない状態になる。近年ＤＶＤやハードディスクレコーダの普及により、放送受信装置を外部入力で楽しむ機会が増えており、外部入力を受信しているときに放送受信装置の電源をオフすることが多々発生する。例えば、昨晩ＤＶＤを外部入力で視聴していて放送受信装置の電源をオフし、次の日に放送受信装置の電源を投入したときには、普通画面には何も表示されないこと（真っ黒等）になり視聴者は放送受信装置が故障したのではないかと不安にかられる。
【００１０】
本発明の目的は、上記課題に鑑み、外部入力チャンネルを選択した状態で放送受信装置の電源をオフした後に、電源をオンにして外部入力チャンネルに信号がない場合にも画面に何も表示されないということがない放送受信装置を提供することにある。
【課題を解決するための手段】
【００１１】
本発明に係る放送受信装置および放送受信方法は、上記の目的を達成するために、次のように構成される。
本発明に係る放送受信装置（請求項１に対応）は、外部入力端子を備えた放送受信装置であって、外部入力端子または放送を選局する選局手段と、選局手段により外部入力端子が選択されたとき、外部入力端子が選択される直前に選局されている放送のチャンネルデータを記憶する第１の記憶手段と、電源オフの直前に選局されているチャンネルデータを記憶する第２の記憶手段と、電源オン時に第２の記憶手段に記憶されているチャンネルデータを読み出し、読み出したチャンネルデータに対応するチャンネルを選局し、その選局したチャンネルに信号があるか否かを検出する検出手段とを備え、選局手段は、検出手段により第２の記憶手段に記憶されているチャンネルデータに対応するチャンネルの信号が検出されない場合、第１の記憶手段に記憶されたチャンネルデータに基づきチャンネルを選局することを特徴とする。
本発明に係る放送受信方法（請求項２に対応）は、外部入力端子を備えた放送受信装置の放送受信方法であって、外部入力端子または放送を選局する選局ステップと、選局ステップにより外部入力端子が選択されたとき、外部入力端子が選択される直前に選局されている放送のチャンネルデータを記憶する第１の記憶ステップと、電源オフの直前に選局されているチャンネルデータを記憶する第２の記憶ステップと、電源オン時に第２の記憶ステップに記憶されているチャンネルデータを読み出し、読み出したチャンネルデータに対応するチャンネルを選局し、その選局したチャンネルに信号があるか否かを検出する検出ステップとを備え、選局ステップは、検出ステップにより第２の記憶ステップで記憶されているチャンネルデータに対応するチャンネルの信号が検出されない場合、第１の記憶ステップで記憶されたチャンネルデータに基づきチャンネルを選局することを特徴とする。
【発明の効果】
【００１２】
本発明によれば、外部入力チャンネルを選択した状態で放送受信装置の電源をオフしたときは外部入力チャンネルデータをラストチャンネルデータ１として第２の記憶部に記憶し、外部入力チャンネルに切り換える前のチャンネルをラストチャンネルデータ２として第１の記憶部に記憶して、放送受信装置の電源をオンしたときに外部入力チャンネルに信号がない場合には、外部入力チャンネルに切り換える前のチャンネルの放送あるいは特許文献１の技術を利用すれば切り換える前のチャンネルが存在しない場合でも同一放送事業者の他の放送を画面に表示するため、外部入力チャンネルに設定した状態で放送受信装置の電源をオフした後に、電源をオンにして外部入力チャンネルに信号がない場合にも画面に何も表示されないということがないので、視聴者は放送受信装置が故障したのではないかと不安にかられることもなくなる。
【発明を実施するための最良の形態】
【００１３】
以下に、本発明の好適な実施形態（実施例）を添付図面に基づいて説明する。
【００１４】
図１は、本発明の実施形態に係る放送受信装置の機能ブロック図である。図１に示す放送受信装置１０は、地上波チューナ１１、ＢＳチューナ１２、ＣＳチューナ１３、外部入力端子１４、外部入力端子１５、検波回路１６、検波回路１７、検波回路１８、信号検出回路１９、信号切換え回路（選局手段）２０、マイコン２１、不揮発性メモリ２２、表示回路２３、操作部２４を備える。
【００１５】
地上波チューナ１１は、地上波放送による電波を受信したアンテナ２５から出力される信号を受け所望の伝送チャンネルを選択し、検波回路１６へ出力する。ＢＳチューナ１２は、ＢＳ（放送衛星）デジタル放送によるＢＳ電波を受信したアンテナ２６から出力される信号を受け、所望の伝送チャンネルを選択し、検波回路１７へ出力する。ＣＳチューナ１３はＣＳ放送によるＣＳ電波を受信したアンテナ２７から出力される信号を受け、所望の伝送チャンネルを選択し、検波回路１８へ出力する。
【００１６】
外部入力端子１４と外部入力端子１５はＤＶＤプレーヤーやハードディスクレコーダ等の外部の装置からの信号を入力する端子である。
【００１７】
検波回路１６は、地上波チューナ１１から出力された信号を検波して、信号検出回路１９に出力する。検波回路１７は、ＢＳチューナ１２から出力された信号を検波して、信号検出回路１９に出力する。検波回路１８は、ＣＳチューナ１３から出力された信号を検波して、信号検出回路１９に出力する。
【００１８】
信号検出回路１９は、検波回路１６，１７，１８と外部入力端子１４，１５からの信号を検出し、マイコン２１と信号切換え回路２０に出力する。信号切換え回路２０は、操作部２４で選択したチャンネルをマイコン２１によって制御し、そのチャンネルの信号を表示回路２３に出力する。また、不揮発性メモリ２２に記憶されたチャンネルデータをマイコンにより読み出し、マイコン２１は、その読み出したチャンネルデータに対応するチャンネルに信号切換え回路２０を制御し、そのチャンネルに対応する信号を出力する。表示回路２３は、映像信号処理回路を含み、信号切換え回路２０から出力された信号に従って、映像信号処理を行い、映像を表示部（図示せず）に表示する。
【００１９】
図２は、不揮発性メモリ２２の内部構造を示す模式図である。不揮発性メモリ２２は、第１の記憶部３０と第２の記憶部３１を含んでいる。第１の記憶部３０は、信号切換え回路２０により外部入力端子１４または１５に切り換えられたとき、外部入力端子１４または１５に切り換えられる直前に選局されている放送のチャンネルデータを記憶する。第２の記憶部３１は、電源オフの直前に選局されているチャンネルデータを記憶する。
【００２０】
図１で示した放送受信装置では、電源オン時に第２の記憶部３１に記憶されているチャンネルデータを読み出し、読み出したチャンネルデータに対応するチャンネルを選局し、その選局したチャンネルに信号があるか否かを信号検出回路１９によって検出する。マイコン２１は、信号検出回路１９により第２の記憶部３１に記憶されているチャンネルデータに対応するチャンネルの信号が検出されない場合、第１の記憶部３０に記憶されたチャンネルデータを読み込み、そのチャンネルデータに基づいてチャンネルを選局する。第１の記憶部３０には、信号切換え回路２０により外部入力端子１４または１５に切り換えられたときの、外部入力端子１４または１５に切り換えられる直前に選局されている放送のチャンネルデータが記憶されているので、必ずそのチャンネルの放送又は、そのチャンネルが存在しない場合でも同一放送事業者の他の放送の映像を表示部に表示する。
【００２１】
それにより、外部入力端子を選択した状態で放送受信装置１０の電源をオフした後に、電源をオンにして外部入力端子からの信号がない場合にも放送受信装置１０の画面に何も表示されないということがないので、視聴者は放送受信装置１０が故障したのではないかと不安にかられることもなくなる。
【００２２】
次に、上記のように構成された放送受信装置１０の電源オン・オフ時の動作について説明する。図３は、図１に示す放送受信装置１０の電源オン・オフ時の動作を説明するためのフローチャートである。
【００２３】
図３に示すように、まず、ステップＳ１１において視聴者により操作部２４によって外部入力１４または外部入力１５が選択されたか否かを判断する。外部入力１４または外部入力１５が選択されない場合は、ステップＳ１１を繰り返し実行する。外部入力１４または外部入力１５が選択された場合、ステップＳ１２において、外部入力１４または外部入力１５に切り換え前のチャンネルに対応するチャンネルデータを第１の記憶部３０に記憶する。次に、ステップＳ１３で、電源オフされたか否か判断する。電源オフしないときは、ステップＳ１３を繰り返し実行する。ステップＳ１３で電源オフした場合、ステップＳ１４で外部入力１４または外部入力１５に対応するチャンネルデータを第２の記憶部３１に記憶する。ステップＳ１５により、電源がオンされたか否か判断する。電源がオンされない場合は、ステップＳ１５を繰り返し実行する。視聴者により操作部２４によって放送受信装置１０の電源がオンされると、ステップＳ１６において、第２の記憶部３１に記憶されているチャンネルデータが読み出され、信号切換え回路２０でそのチャンネルデータに対応するチャンネルに切り換え、そのチャンネルに信号があるか否か判断する。そのチャンネルに信号がある場合は、ステップＳ１７でそのチャンネルの放送を画面に映像表示する。ステップＳ１６でそのチャンネルに信号がない場合は、ステップＳ１８でそのチャンネルには信号がないことを画面に表示し、第１の記憶部３０に記憶されているチャンネルデータが読み出され、信号切り換え回路２０でそのチャンネルデータに対応するチャンネル又は、そのチャンネルが存在しない場合は同一放送事業者の他の放送に切り換え、そのチャンネルを画面に映像表示する。
【００２４】
このように、本実施形態では、外部入力端子または放送を選局する選局ステップと、この選局ステップにより外部入力端子が選択されたとき、外部入力端子が選択される直前に選局されている放送のチャンネルデータを記憶する第１の記憶ステップと、電源オフの直前に選局されているチャンネルデータを記憶する第２の記憶ステップと、電源オン時に第２の記憶ステップに記憶されているチャンネルデータを読み出し、読み出したチャンネルデータに対応するチャンネルを選局し、その選局したチャンネルに信号があるか否かを検出する検出ステップとを備え、選局ステップは、検出ステップにより第２の記憶ステップで記憶されているチャンネルデータに対応するチャンネルの信号が検出されない場合、第１の記憶ステップで記憶されたチャンネルデータに基づきチャンネルを選局する。
【００２５】
上記の処理により、外部入力チャンネルを選択した状態で放送受信装置１０の電源をオフしたときは外部入力チャンネルをラストチャンネル１として第２の記憶部３１に記憶し、外部入力チャンネルに切り換える前のチャンネルをラストチャンネル２として第１の記憶部３０に記憶して、放送受信装置１０の電源をオンしたときに外部入力チャンネルに信号がない場合には、外部入力チャンネルに切り換える前のチャンネルに基づきチャンネルの映像を放送受信装置の画面に表示するため、外部入力チャンネルを選択した状態で放送受信装置の電源をオフした後に、電源をオンにして外部入力チャンネルに信号がない場合にも放送受信装置の画面に何も表示されないということがないので、視聴者は放送受信装置が故障したのではないかと不安にかられることもなくなる。
【００２６】
以上の実施形態で説明された構成、配置関係等については本発明が理解・実施できる程度に例示したものにすぎない。従って本発明は、説明された実施形態に限定されるものではなく、特許請求の範囲に示される技術的思想の範囲を逸脱しない限り様々な形態に変更することができる。
【産業上の利用可能性】
【００２７】
本発明は、外部入力を行うことができる放送受信装置として利用される。
【図面の簡単な説明】
【００２８】
【図１】本発明の実施形態に係る放送受信装置の機能ブロック図である。
【図２】本発明の実施形態に係る放送受信装置の不揮発性メモリの構成を示す図である。
【図３】本発明の実施形態に係る放送受信装置でのマイコンによる制御を説明するフローチャートである。
【図４】従来の放送受信装置でのマイコンによる制御を説明するフローチャートである。
【符号の説明】
【００２９】
１０        放送受信装置
１１        地上波チューナ
１２        ＢＳチューナ
１３        ＣＳチューナ
１４        外部入力端子
１５        外部入力端子
１６        検波回路
１７        検波回路
１８        検波回路
１９        信号検出回路
２０        信号切り換え回路
２１        マイコン
２２        不揮発性メモリ
２３        表示回路
２４        操作部
３０        第１の記憶部
３１        第２の記憶部
【図１】
2009038462.tif 000003
【図２】
2009038462.tif 000004
【図３】
2009038462.tif 000005
【図４】
2009038462.tif 000006